(57)【特許請求の範囲】
【請求項１】
上下方向を向く中心軸回りを回転し、カップ部と周方向に配列された複数の羽根を有するインペラと、
前記インペラを回転させるモータ部と、
前記インペラを収納し、ガード部材を有するハウジングと、
を備え、
前記ハウジングは、
前記モータ部を支持し、前記インペラの下側および側方を囲み、前記インペラの側方の少なくとも一部が外部空間に向けて開放される排気口を有する、本体部と、
前記インペラの上側に設けられ、吸気口を有する前記ガード部材と、
を有し、
前記ガード部材は、
複数の前記吸気口をなす複数のリブを有し、
前記複数のリブは、
各々径方向に間隔をおいて設けられた複数の第１リブと、
前記複数の第１リブを連結し、各々周方向に間隔をおいて設けられた複数の第２リブと、
を有し、
径方向に隣り合う少なくとも２つの前記第１リブは、
径方向内方の第１リブの軸方向下側の縁が、径方向外方の第１リブの下側の縁よりも上側に位置し、
径方向内方の第１リブの下側の縁および径方向外方の第１リブの下側の縁は、中心軸に垂直な面に対して傾斜した包絡面をなす下面傾斜領域を構成し、
前記下面傾斜領域を構成する前記第１リブのうち少なくとも２つの第１リブは、径方向内方の第１リブの軸方向の寸法が、径方向外方の第１リブの軸方向の寸法よりも小さく、
前記下面傾斜領域より径方向内側に位置し、径方向に隣り合う少なくとも２つの第１リブは、下側の縁の軸方向位置が互いに同じ下面内側フラット領域を構成する、ファン装置。
【請求項２】
前記カップ部は、円形の天板部と、前記天板部の周縁から下向に延びる円筒形の筒部と、を有し、
前記天板部の周縁は、前記下面傾斜領域と軸方向に対向する、請求項１に記載のファン装置。
【請求項３】
前記下面内側フラット領域を構成する前記縁の包絡面の軸方向の位置は、前記下面傾斜領域の包絡面の軸方向位置と同じ、または前記下面傾斜領域の包絡面より上側にある、請求項１に記載のファン装置。
【請求項４】
前記下面傾斜領域より径方向外方に位置し、径方向に隣り合う少なくとも２つの第１リブは、下側の縁の軸方向位置が互いに同じ下面外側フラット領域を構成し、
前記下面外側フラット領域を構成する前記縁の包絡面の軸方向の位置は、前記下面傾斜領域の包絡面の軸方向位置と同じ、または前記下面傾斜領域の包絡面より下側にある、請求項１〜３のうちいずれか１項に記載のファン装置。
【請求項５】
前記下面傾斜領域の包絡面が円錐面を構成する、請求項１〜４のうちいずれか１項に記載のファン装置。
【請求項６】
前記下面傾斜領域の包絡面が湾曲凹面を構成する、請求項１〜４のうちいずれか１項に記載のファン装置。
【請求項７】
径方向に隣り合う少なくとも２つの前記第１リブのうち径方向内側の第１リブの上側の縁が、径方向外方の第１リブの上側の縁より上側に位置し、
前記径方向内側の第１リブの上側の縁および前記径方向外方の第１リブの上側の縁は、
中心軸に垂直な面に対して傾斜した包絡面をなす上面傾斜領域を構成し、
前記上面傾斜領域は、少なくとも一部が前記下面傾斜領域と軸方向に重なる請求項１〜６のうちいずれか１項に記載のファン装置。
【請求項８】
前記上面傾斜領域より径方向内側に位置し、径方向に隣り合う少なくとも２つの第１リブは、上側の縁の軸方向位置が互いに同じ上面内側フラット領域を構成し、
前記上面内側フラット領域を構成する前記縁の包絡面の軸方向の位置は、前記上面傾斜領域の包絡面の前記縁の軸方向位置と同じ、または前記上面傾斜領域の包絡面より上側にある、請求項７に記載のファン装置。
【請求項９】
前記上面傾斜領域より径方向外方に位置し、径方向に隣り合う少なくとも２つの第１リブは、上側の縁の軸方向位置が互いに同じ上面外側フラット領域を構成し、
前記上面外側フラット領域を構成する前記縁の包絡面の軸方向の位置は、前記上面傾斜領域の包絡面の軸方向位置と同じ、または前記上面傾斜領域の包絡面より下側にある、請求項７または８に記載のファン装置。
【請求項１０】
前記下面傾斜領域の包絡面が円錐面を構成し、
前記上面傾斜領域の包絡面が円錐面を構成する、請求項７〜９のうちいずれか１項に記載のファン装置。
【請求項１１】
中心軸に垂直な面に対する前記下面傾斜領域の傾斜角は、前記上面傾斜領域の傾斜角より大きい、請求項１０に記載のファン装置。
【請求項１２】
前記下面傾斜領域の包絡面が湾曲凹面を構成し、
前記上面傾斜領域の包絡面が湾曲凸面を構成する、請求項７〜９のうちいずれか１項に記載のファン装置。
【請求項１３】
前記上面傾斜領域において、径方向に隣り合う２つの前記第１リブのうち径方向内側の第１リブの下側の縁の軸方向の位置は、径方向外方の第１リブの上側の縁の軸方向位置と同じ、または前記径方向外方の第１リブの上側の縁より下側に位置する、請求項７〜１２のうちいずれか１項に記載のファン装置。
【請求項１４】
前記複数の第２リブの上側の縁が構成する包絡面は、前記中心軸に対して垂直な平坦面をなす、請求項１〜１３のうちいずれか１項に記載のファン装置。
【請求項１５】
前記第２リブの上側の縁は、前記第１リブの上側の縁より上側に位置する、請求項１〜１４のうちいずれか１項に記載のファン装置。
【請求項１６】
前記ガード部材の上方に、空気が通過するフィルタが設けられ、
前記第２リブの少なくとも１つに、前記リブとの間に間隔をおいて前記フィルタを支持するフィルタ支持部が設けられている、請求項１〜１５のうちいずれか１項に記載のファン装置。
【請求項１７】
前記ガード部材の上方に、空気が通過するフィルタが設けられ、
前記ハウジングの上面に、前記リブとの間に間隔をおいて前記フィルタを支持するフィルタ支持部が設けられている、請求項１〜１６のうちいずれか１項に記載のファン装置。
【請求項１８】
前記ガード部材の上方に、空気が通過するフィルタが設けられ、
前記リブには、前記吸気口の略中央部に、前記リブとの間に間隔をおいて前記フィルタを支持する中央フィルタ支持部が設けられる、請求項１〜１７のうちいずれか１項に記載のファン装置。
【請求項１９】
前記第１リブは、前記中心軸を中心とした環状である、請求項１〜１８のうちいずれか１項に記載のファン装置。
【請求項２０】
前記第２リブは、前記吸気口の略中央部から径方向外方に向かって放射状に延びる、請求項１〜１９のうちいずれか１項に記載のファン装置。
【発明の詳細な説明】
【技術分野】
【０００１】
本発明は、ファン装置に関する。
【背景技術】
【０００２】
従来、ファン部とフィンガーガードを備えたファン装置が用いられている。フィンガーガードは、複数のガード杆を備え、ガード杆によって利用者の手指などが侵入するのを防ぐ。ファン装置は、例えば特許文献１に記載されている。
【先行技術文献】
【特許文献】
【０００３】
【特許文献１】特開２０００−３４０９７４号公報
【発明の概要】
【発明が解決しようとする課題】
【０００４】
ファン装置には、例えば遠心ファンが用いられる。遠心ファンは高静圧下での特性に優れている。
しかしながら、遠心ファンを用いたファン装置は風損が大きいため、風量が不足しやすかった。
【０００５】
本発明の一態様は、風量を高めることができるファン装置を提供することを目的とする。
【課題を解決するための手段】
【０００６】
本発明の一つの態様は、上下方向を向く中心軸回りを回転し、カップ部と周方向に配列された複数の羽根を有するインペラと、前記インペラを回転させるモータ部と、前記インペラを収納し、ガード部材を有するハウジングと、を備え、前記ハウジングは、前記モータ部を支持し、前記インペラの下側および側方を囲み、前記インペラの側方の少なくとも一部が外部空間に向けて開放される排気口を有する、本体部と、前記インペラの上側に設けられ、吸気口を有する前記ガード部材と、を有し、前記ガード部材は、複数の前記吸気口をなす複数のリブを有し、前記複数のリブは、各々径方向に間隔をおいて設けられた複数の第１リブと、前記複数の第１リブを連結し、各々周方向に間隔をおいて設けられた複数の第２リブと、を有し、径方向に隣り合う少なくとも２つの前記第１リブは、径方向内方の第１リブの軸方向下側の縁が、径方向外方の第１リブの下側の縁よりも上側に位置し、径方向内方の第１リブの下側の縁および径方向外方の第１リブの下側の縁は、中心軸に垂直な面に対して傾斜した包絡面をなす下面傾斜領域を構成し、前記下面傾斜領域を構成する前記第１リブのうち少なくとも２つの第１リブは、径方向内方の第１リブの軸方向の寸法が、径方向外方の第１リブの軸方向の寸法よりも小さく、下面傾斜領域より径方向内側に位置し、径方向に隣り合う少なくとも２つの第１リブは、下側の縁の軸方向位置が互いに同じ下面内側フラット領域を構成する、ファン装置を提供する。
【発明の効果】
【０００７】
本発明の一つの態様によれば、風損を低減し、風量を高めることができる。
【図面の簡単な説明】
【０００８】
【図１】図１は、本発明に係るファン装置の一実施形態を示す断面図である。
【図２】図２は、図１に示すファン装置の一部を拡大して示す断面図である。
【図３】図３は、図１に示すファン装置のガード部材を拡大して示す断面図である。
【図４】図４は、図１に示すファン装置を示す平面図である。
【図５】図５は、図１に示すファン装置のインペラを示す斜視図である。
【図６】図６は、図１に示すファン装置を示す分解斜視図である。
【図７】図７は、ガード部材の第２の例を模式的に示す断面図である。
【図８】図８は、ガード部材の第３の例を模式的に示す断面図である。
【図９】図９は、ガード部材の第４の例を模式的に示す断面図である。
【図１０】図１０は、ガード部材の第５の例を模式的に示す断面図である。
【図１１】図１１は、ガード部材の第６の例を模式的に示す断面図である。
【図１２】図１２は、ガード部材の第７の例を模式的に示す断面図である。
【発明を実施するための形態】
【０００９】
以下、図面を参照しながら、本発明の実施形態に係るファン装置について説明する。なお、本発明の範囲は、以下の実施の形態に限定されず、本発明の技術的思想の範囲内で任意に変更可能である。また、以下の図面においては、各構成をわかりやすくするために、各構造における縮尺、数等が、実際の構造と異なる場合がある。
【００１０】
以下の説明においては、中心軸Ｊ１に沿う方向を軸方向とし、中心軸Ｊ１に直交する方向を径方向とし、回転方向に沿う方向を周方向と称する。軸方向を上下方向とし、カップ部に対してガード部材側を上側として各部の形状または位置関係を説明する。ただし、これは、説明の便宜のために上下方向を定義したに過ぎず、本発明に係るファン装置の、使用時の向きを限定しない。
【００１１】
図１は、本実施形態のファン装置１００を示す断面図である。図２は、ファン装置１００の一部を拡大して示す断面図である。図３は、ファン装置１００のガード部材２２を拡大して示す断面図である。図４は、ファン装置１００を示す平面図である。図５は、ファン装置１００のインペラ１０を示す斜視図である。図６は、ファン装置１００を示す分解斜視図である。なお、図２では、ハウジング３０の上壁部１５およびガード部材２２と、インペラ１０とを実際より離間させて示している。
【００１２】
図１に示すように、ファン装置１００は、インペラ１０と、インペラ１０を回転させるモータ部２０と、インペラ１０を収納するハウジング３０と、を備える。ファン装置１００は、インペラ１０によって、空気を遠心力により径方向外方に送り出す遠心ファンである。以下、各部について詳細に説明する。
【００１３】
［モータ部］
モータ部２０は、図示しないモータ本体と、モータ本体を収容するモータハウジング１２と、を有する。モータ部２０は、軸方向に延びる回転軸１１を有する。モータ部２０は、モータ本体の駆動により中心軸Ｊ１回りにインペラ１０を回転させる。
モータ本体は、例えば、固定組立体であるステータ部と、回転組立体であるロータ部とを備えた構造を採用することができる。ロータ部は、例えばステータ部に対して中心軸Ｊ１回りに回転可能である。
【００１４】
［インペラ］
図１、図２および図５に示すように、インペラ１０は、カップ部１と、羽根２と、延出部３と、を備えている。
カップ部１は、円形の天板部５と円筒形の筒部６とを有する有蓋円筒状である。筒部６は天板部５の周縁５ａから下向に延びる。カップ部１の内部空間７には、モータ部２０の少なくとも一部が収容される。
天板部５は、例えば中心軸Ｊ１に対して垂直または略垂直である。天板部５は回転軸１１に固定される。このため、モータ部２０の駆動によりインペラ１０は回転する。
【００１５】
延出部３は、円環板状である。延出部３は、カップ部１の筒部６の下端部から径方向外方に延びて羽根２の下端部に固定される。延出部３によってカップ部１と羽根２とは互いに連結される。そのため、カップ部１と羽根２とは、前記モータ本体の駆動により中心軸Ｊ１回りに回転する。
【００１６】
複数の羽根２は延出部３の外周縁部から上方に延びている。複数の羽根２は周方向に間隔をおいて配列される。羽根２は、カップ部１の径方向外方に、カップ部１から離れて設けられる。
羽根２は、モータ部２０により中心軸Ｊ１回りに回転することによって、空気を遠心力により径方向外方に送り出す。
【００１７】
［ハウジング］
図１および図６に示すように、ハウジング３０は、インペラ１０の下側および側方を囲む本体部２１と、インペラ１０の上側に設けられたガード部材２２と、を有している。
【００１８】
（本体部）
本体部２１は、底壁部１３と、側壁部１４と、上壁部１５と、を備えている。
底壁部１３は、例えば平面視矩形の板状である。底壁部１３の上面１３ａにはモータ部２０が設置される。
【００１９】
側壁部１４は、底壁部１３の周縁部に設けられている。側壁部１４はインペラ１０を側方から囲む。本実施形態では、側壁部１４は、平面視矩形の底壁部１３の４辺からそれぞれ上方に延びる４つの平板状の側板１４ａからなる矩形筒状である。
４つの側板１４ａのうちの１つである側板１４ａ１は、外部空間１７に向けて開放される複数の排気口１６を有する。詳しくは、側板１４ａ１は、例えば中心軸Ｊ１に垂直な複数のリブ１４ｂを有する。複数のリブ１４ｂの隙間はスリット状の排気口１６である。
排気口１６は、インペラ１０によって送り出された空気を外部空間１７に排出することができる。排気口１６によって、インペラ１０の側部の少なくとも一部は外部空間１７に開放される。
【００２０】
上壁部１５は、側壁部１４の上端部に設けられている。上壁部１５は、例えば平面視矩形の板状である。上壁部１５は、空気を取り入れる開口１８を有する。本実施形態では、開口１８は、中心が中心軸Ｊ１と一致し、内径がインペラ１０の外径より大きい円形である。このため、図６に示すように、ガード部材２２を本体部２１から外した状態では、インペラ１０は開口１８を通して外部空間１７に開放される。
【００２１】
（ガード部材）
図１〜図４および図６に示すように、ガード部材２２は、本体部２１の上側に設けられる。ガード部材２２は、ガード部材本体４０と、ガード部材本体４０の下面から下方に突出する環状突壁４３と、を有する。
ガード部材本体４０は、基板部４１と、基板部４１の周縁部から上方に突出する側壁部４２と、複数のリブ２３と、を有する。ガード部材本体４０は、複数のリブ２３により複数の吸気口２４をなす。
【００２２】
基板部４１は、例えば平面視円形の板状である。基板部４１は、空気を取り入れる開口４５を有する。開口４５は、例えば中心が中心軸Ｊ１と一致する円形である。
また、基板部４１の機械的強度を向上するために、開口４５の周縁部に、基板部４１の上面から上方に突出する環状凸部が設けられてもよい。
【００２３】
図１および図６に示すように、基板部４１の上面には、複数のフィルタ支持部４６が設けられている。すなわち、ハウジング３０の上面には、フィルタ支持部４６が設けられている。フィルタ支持部４６は、開口４５の径方向外方に設けられている。フィルタ支持部４６は、吸気口２４から導入される空気が通過するフィルタ４７を支持する。
フィルタ支持部４６は、例えば矩形板状である。フィルタ支持部４６は、基板部４１の上面から上方に突出する。
【００２４】
本実施形態において、フィルタ支持部４６は径方向に沿って延びる。フィルタ支持部４６は、例えば後述する第２リブ２６を径方向外方に延長した延長線上に設けられる。複数のフィルタ支持部４６は、例えば周方向に等間隔に設けられる。フィルタ支持部４６は、例えば径方向外方の端部が側壁部４２に達している。なお、フィルタ支持部４６の形状は図示した例に限定されず、半円形、三角形などの板状としてもよい。
【００２５】
フィルタ支持部４６によって、フィルタ４７を、後述するリブ２３との間に間隔をおいて支持できる。間隔をおくことにより、空気が流れやすくなるため、フィルタ４７とリブ２３との間における空気の流れに対する抵抗（以下、流通抵抗という。）を低減できる。また、フィルタ支持部４６は開口４５の径方向外方に設けられるため、開口４５を通して吸引される空気の流通を阻害することはない。
【００２６】
側壁部４２は例えば円形枠状である。本実施形態における側壁部４２は、平面視円形の基板部４１の周縁から上方に延びる。なお、基板部４１を矩形板状とし、側壁部４２を矩形枠状としてもよい。
【００２７】
環状突壁４３は基板部４１の下面４１ａから下方に延びる。環状突壁４３は、例えば円筒状である。環状突壁４３は本体部２１の開口１８に挿入される。
図１に示すように、環状突壁４３は少なくともインペラ１０の上端を周方向に囲む。環状突壁４３の下端４３ｂの下端面４３ｃは、例えば軸方向に垂直な面に沿う。
【００２８】
本実施形態におけるガード部材２２は、基板部４１の下面４１ａを上壁部１５の上面に重ねた状態で、本体部２１上に設置される。
ガード部材２２は、例えば樹脂により単一の部材として作製することができる。
また、ガード部材２２と上壁部１５とが、樹脂により単一の部材として作製されてもよい。
【００２９】
図１および図６に示すように、リブ２３は、複数の第１リブ２５と、複数の第２リブ２６と、内周リブ３４と、を有する。
内周リブ３４は、例えば中心軸Ｊ１を中心とした円環状である。内周リブ３４は、最も中心軸Ｊ１に近い第１リブ２５の径方向内方に設けられている。
【００３０】
なお、以下の説明においては、第１リブ２５の軸方向下側の縁を下縁２５ａという。第１リブ２５の軸方向上側の縁を上縁２５ｂという。第２リブ２６の軸方向下側の縁を下縁２６ａという。第２リブ２６の軸方向上側の縁を上縁２６ｂという。
【００３１】
複数の第１リブ２５は、例えば中心軸Ｊ１を中心とした円環状である。複数の第１リブ２５は、各々径方向に間隔をおいて設けられている。本実施形態では、複数の第１リブ２５は、例えば径方向に等間隔に設けられている。
図３に示すように、第１リブ２５は、例えば上下方向に沿う板状である。
【００３２】
複数の第２リブ２６は、径方向に延びる直線状である。複数の第２リブ２６のうちの一部の第２リブ２６は、例えば、内周リブ３４から開口４５の内周縁部にかけて設けられる。複数の第２リブ２６は、各々周方向に間隔をおいて設けられている。すなわち、本実施形態では、複数の第２リブ２６は、平面視において、吸気口である開口４５の略中央部から径方向外方に向かって放射状に延びる形状である。複数の第２リブ２６は、例えば周方向に等間隔に設けられる。なお、第２リブ２６は、中心軸Ｊ１から径方向に延びる形状でもよい。
【００３３】
第２リブ２６は、第１リブ２５と交差する箇所において第１リブ２５と接合されている。これによって、第２リブ２６は複数の第１リブ２５を互いに連結する。
図６に示すように、第２リブ２６は、例えば上下方向（軸方向）に沿う板状である。
第１リブ２５と第２リブ２６とは、例えば単一の部材である。
【００３４】
図４に示すように、吸気口２４は、第１リブ２５と第２リブ２６と内周リブ３４との間に確保された開口である。吸気口２４は、例えば径方向に隣り合う２つの第１リブ２５と、周方向に隣り合う２つの第２リブ２６とによって区画された平面視扇形の開口である。
【００３５】
図３に示すように、第１リブ２５の上縁２５ｂの軸方向位置と、第２リブ２６の上縁２６ｂの軸方向位置とは、例えば互いに同じである。
【００３６】
図６に示すように、第２リブ２６には、フィルタ４７を支持するフィルタ支持部４８が設けられている。本実施形態においてフィルタ支持部４８は、複数の第２リブ２６のうち内周リブ３４と接続されている第２リブ２６に設けられている。図２に示すように、フィルタ支持部４８は、第２リブ２６の上縁２６ｂの径方向内方の端部から、上方に突出している。フィルタ支持部４８の径方向内方の端部は、例えば、後述する中央フィルタ支持部４９と接続されている。フィルタ支持部４８の径方向外方の端部は、例えば、最も径方向内方の第１リブ２５の径方向外方の端部と、径方向において同じ位置に設けられている。フィルタ支持部４８は、例えば矩形板状である。なお、フィルタ支持部４８の形状はこの例に限定されず、半円形、三角形などの板状としてもよい。
フィルタ支持部４８によって、フィルタ４７をリブ２３との間に間隔をおいて支持できるため、空気の流通抵抗を低減できる。
【００３７】
また、図１、図２および図６に示すように、内周リブ３４の上縁には、フィルタ４７を支持する中央フィルタ支持部４９が設けられていてもよい。すなわち、リブ２３には、中央フィルタ支持部４９が設けられていてもよい。中央フィルタ支持部４９は、内周リブ３４の上縁から上方に突出する。中央フィルタ支持部４９は、例えば中心軸Ｊ１を中心軸とした円筒状である。中央フィルタ支持部４９は、平面視において、吸気口である開口４５の略中央部に位置する。
【００３８】
なお、中央フィルタ支持部４９の形状はこの例に限定されず、半円形、三角形などの板状としてもよい。中央フィルタ支持部４９は、第１リブ２５または第２リブ２６の上縁に設けられてもよい。
中央フィルタ支持部４９は、フィルタ４７をリブ２３との間に間隔をおいて支持できるため、空気の流通抵抗を低減できる。
【００３９】
また、中央フィルタ支持部４９によって、フィルタ４７に力が加えられた場合に変位しやすい中央部を支えることができるため、フィルタ４７の変位を防ぎ、空気の流通抵抗が増大するのを抑制することができる。
本実施形態では、フィルタ支持部４６でフィルタ４７の周縁部を支え、かつ中央フィルタ支持部４９でフィルタ４７の中央部を支える。そのため、フィルタ４７を安定に支持することができる。
【００４０】
以下、図２および図３を参照しつつ、第１リブ２５および第２リブ２６の詳しい形状について説明する。図２および図３においては、図の右側が周方向内方であり、図の左側が周方向外方である。
図２に示すように、複数の第１リブ２５の下縁２５ａは、下面中間領域２７と、下面内側領域２８と、下面外側領域２９と、を構成する。下面中間領域２７、下面内側領域２８、および下面外側領域２９は、それぞれ複数の下縁２５ａによって規定される。下面内側領域２８は、下面中間領域２７より径方向内側に位置する。下面外側領域２９は、下面中間領域２７より径方向外方に位置する。
【００４１】
図３に示すように、第１リブ２５のうち、下面中間領域２７において径方向に隣り合う２つの第１リブ２５Ａ，２５Ｂを対比する。２つの第１リブ２５Ａ，２５Ｂのうち、径方向内方の第１リブ２５Ａの下縁２５Ａａは、径方向外方の第１リブ２５Ｂの下縁２５Ｂａよりも上側に位置する。このため、下縁２５Ａａ，２５Ｂａは、中心軸Ｊ１に垂直な面に対して傾斜した包絡面２７ａをなす下面傾斜領域を構成する。中心軸Ｊ１に垂直な面に対する包絡面２７ａの傾斜角度は、例えば０°を越え、９０°未満である。
本実施形態では、下面中間領域２７のすべての第１リブ２５の下縁２５ａが一定角度で傾斜した包絡面２７ａを構成する。すなわち、下面中間領域２７は下面傾斜領域である。
【００４２】
下面傾斜領域は、次のように説明される。径方向に並んだ複数の第１リブ２５からなる第１リブ群（１）を想定する。この第１リブ群（１）を構成する複数の第１リブ２５のうち、隣り合う２つの第１リブ２５を対比したときに、径方向内方の第１リブ２５の下縁２５ａは、径方向外方の第１リブ２５の下縁２５ａよりも上側に位置する。この関係は第１リブ群（１）のすべての第１リブ２５について成立する。第１リブ群（１）の第１リブ２５の下縁２５ａがなす包絡面２７ａは、中心軸Ｊ１に垂直な面に対して傾斜する。このような場合に、第１リブ群（１）の第１リブ２５の下縁２５ａによって構成される領域を、下面傾斜領域という。
ここでいう包絡面とは、複数の第１リブ２５の下縁２５ａの径方向中央の線を結んで得られる面である。
【００４３】
下面傾斜領域２７を構成する第１リブ２５Ａ，２５Ｂのうち、径方向内方の第１リブ２５Ａの軸方向の寸法（長さ）は、径方向外方の第１リブ２５Ｂの軸方向の寸法よりも小さい。径方向外方の第１リブ２５Ｂの軸方向寸法が大きいため、ガード部材２２の剛性を高めることができる。また、径方向内方の第１リブ２５Ａの軸方向寸法が小さいため、吸気口２４の流通抵抗を小さくできる。よって、風損を低減し、風量を多くできる。
下面傾斜領域を構成する第１リブ２５の数は少なくとも２であり、３以上の任意の数であってもよい。
【００４４】
径方向内方の第１リブの軸方向の寸法が、この第１リブの径方向外方に隣り合う第１リブの軸方向の寸法よりも小さいという関係は、下面傾斜領域を構成する第１リブのうち少なくとも２つについて成立すればよい。この関係が成立する第１リブの数は、少なくとも２であり、３以上の任意の数であってもよい。
【００４５】
本実施形態では、包絡面２７ａは径方向の全長にわたって一定角度で傾斜するため、円錐面である。
このため、上述の風損低減、風量向上という効果を損なうことなく、第１リブ２５の軸方向寸法を大きくでき、その強度を高めることができる。
【００４６】
第１リブ２５のうち、下面内側領域２８において径方向に隣り合う２つの第１リブ２５Ｃ，２５Ｄを対比する。２つの第１リブ２５Ｃ，２５Ｄのうち、径方向内方の第１リブ２５Ｃの下縁２５Ｃａと、径方向外方の第１リブ２５Ｄの下縁２５Ｄａとは、互いに同じ軸方向位置にある。このため、下縁２５Ｃａ，２５Ｄａは、中心軸Ｊ１に垂直な面に沿う平坦な包絡面２８ａをなす下面内側フラット領域を構成する。
本実施形態では、下面内側領域２８のすべての第１リブ２５の下縁２５ａが中心軸Ｊ１に垂直な面に沿う包絡面２８ａを構成する。すなわち、下面内側領域２８は下面内側フラット領域である。
【００４７】
フラット領域は、次のように説明される。径方向に並んだ複数の第１リブ２５からなる第１リブ群（２）を想定する。この第１リブ群（２）を構成する複数の第１リブ２５のうち、隣り合う２つの第１リブ２５を対比したときに、下縁２５ａの軸方向位置は互いに同じである。この関係は第１リブ群（２）のすべての第１リブ２５について成立する。第１リブ群（２）の第１リブ２５の下縁２５ａがなす包絡面は、中心軸Ｊ１に垂直な面に沿う平坦面となる。このような場合に、第１リブ群（２）の下縁２５ａによって構成される領域を、フラット領域という。
下面内側フラット領域を構成する第１リブ２５の数は少なくとも２であり、３以上の任意の数であってもよい。
【００４８】
下面内側領域２８（下面内側フラット領域）を構成する下縁２５ａの包絡面２８ａの軸方向位置は、下面中間領域２７（下面傾斜領域）の包絡面２７ａの最も径方向内方の周縁における軸方向位置と同じである。なお、包絡面２８ａは、下面中間領域２７（下面傾斜領域）の包絡面２７ａの最も径方向内方の周縁より上側にあってもよい。
よって、下面内側領域２８の包絡面２８ａの軸方向位置は、下面中間領域２７（下面傾斜領域）の包絡面２７ａの軸方向位置と同じ、または包絡面２７ａより上側にある。
【００４９】
下面内側領域２８を構成する複数の第１リブ２５の軸方向の寸法（長さ）は、例えば互いに等しい。
【００５０】
ガード部材２２では、下面中間領域２７（下面傾斜領域）の径方向内側に、下面内側フラット領域が設けられている。そのため、カップ部１とリブ２３との軸方向の距離を可能な限り大きくした領域を確保することができる。これによって、吸気口２４から導入された空気が、流れ方向の変換前にカップ部１に当たることにより生じる風損を低減することができる。
また、下面内側領域２８（下面内側フラット領域）を設けたことによって、ガード部材２２の径方向内方側の部分において、ガード部材２２の軸方向寸法を抑えることができる。
【００５１】
第１リブ２５のうち下面外側領域２９において径方向に隣り合う２つの第１リブ２５Ｅ，２５Ｆを対比する。径方向内方の第１リブ２５Ｅの下縁２５Ｅａと、径方向外方の第１リブ２５Ｆの下縁２５Ｆａとは、互いに同じ軸方向位置にある。
このため、下縁２５Ｅａ，２５Ｆａは、中心軸Ｊ１に垂直な面に沿う平坦な包絡面２９ａをなす下面外側フラット領域を構成する。
本実施形態では、下面外側領域２９のすべての第１リブ２５の下縁２５ａが中心軸Ｊ１に垂直な面に沿う包絡面２９ａとなる。すなわち、下面外側領域２９は下面外側フラット領域である。
下面外側フラット領域を構成する第１リブ２５の数は少なくとも２であり、３以上の任意の数であってもよい。
【００５２】
下面外側領域２９（下面外側フラット領域）を構成する下縁２５ａの包絡面２９ａの軸方向位置は、下面中間領域２７（下面傾斜領域）の包絡面２７ａのうち最も径方向外方の周縁における軸方向位置と同じである。なお、包絡面２９ａは、下面中間領域２７（下面傾斜領域）の包絡面２７ａの最も径方向外方の周縁より下側にあってもよい。
よって、下面外側領域２９（下面外側フラット領域）の包絡面２９ａの軸方向位置は、下面中間領域２７（下面傾斜領域）の包絡面２７ａの軸方向位置と同じ、または包絡面２７ａより下側にある。
【００５３】
下面外側領域２９を構成する複数の第１リブ２５の軸方向の寸法（長さ）は、例えば互いに等しい。
【００５４】
ガード部材２２では、下面中間領域２７（下面傾斜領域）の径方向外方に、下面外側領域２９（下面外側フラット領域）を設けることによって、下面外側領域２９（下面外側フラット領域）をインペラ１０に近接して配置することができる。本実施形態では、下面外側領域２９（下面外側フラット領域）は、少なくとも一部が羽根２に対面する位置にある。
これにより、下面外側領域２９（下面外側フラット領域）とインペラ１０との間の空間における流通抵抗を高くすることができる。よって、空気の逆流、すなわちインペラ１０の径方向外方の空間から、インペラ１０の上方の空間に向かう空気の流れを抑制することができる。
【００５５】
図２、図５および図６に示すように、インペラ１０は、複数の羽根２を互いに連結する環状連結体４を有していてもよい。本実施形態では、環状連結体４は、複数の羽根２の上部２ｃ同士を連結する。
環状連結体４は、羽根２の上端２ｃの外端２ａを含む位置に設けられている。環状連結体４は、羽根２の配列方向、すなわち周方向に沿って延びる円環状である。本実施形態では、環状連結体４は、中心軸Ｊ１に垂直または略垂直な板状である。本実施形態では、環状連結体４は羽根２の上端２ｃと単一の部材として作製される。
なお、インペラ１０は、環状連結体４を有さなくてもよい。
【００５６】
図２に示すように、本実施形態では、羽根２の上端２ｃに環状連結体４が設けられている。そのため、環状連結体４によって空気の逆流は起こりにくくなる。なお、環状連結体４は設けられていなくてもよい。この場合であっても、下面外側フラット領域が設けられることで、空気の逆流が起こりにくくなる。
【００５７】
図１および図２に示すように、カップ部１の天板部５の周縁５ａは、下面中間領域２７（下面傾斜領域）と軸方向に対向する位置にあることが望ましい。これは以下の理由による。
羽根２の上方の領域は、羽根２に近いため、吸気量が最も多くなる領域である。一方、カップ部１の上方の領域では、羽根２の上方の領域に比べて吸気量は少ない。カップ部１の上方の領域の空気は、羽根２により空気が径方向外方に送り出されることで羽根２の径方向内方の領域が負圧となるため、羽根２の径方向内方の領域へと流れる。このとき、カップ部１の上方において十分な空間が確保されていれば、カップ部１の上方の領域における吸気量を多くできる。
【００５８】
カップ部１の天板部５の周縁５ａが下面中間領域２７（下面傾斜領域）と軸方向に対向する位置にあれば、カップ部１の上方に十分な空間を確保することができる。従って、羽根２の上方の領域だけでなく、カップ部１の上方の領域においても吸気量を多くでき、風量を増加させることができる。
【００５９】
図３に示すように、複数の第１リブ２５の上縁２５ｂは、互いに同じ軸方向位置にあり、中心軸Ｊ１に垂直な面に沿う平坦な包絡面２５ｃを構成する。このため、本実施形態において上縁２５ｂによって規定される領域は、全領域が平坦な上面フラット領域である。
【００６０】
リブ２３は、剛性の観点では軸方向寸法が大きいほうが好ましいが、風量特性の観点では軸方向寸法が小さいほうが好ましい。
本実施形態では、リブ２３の下面に、傾斜した下面中間領域２７（下面傾斜領域）がある。そのため、リブ２３の上面側が平坦であると、高い剛性が必要な径方向外方側の第１リブ２５の軸方向寸法を大きくしてガード部材２２の剛性を高めることができる。また、径方向内方側の第１リブ２５では軸方向寸法が小さくなるため、吸気口２４の流通抵抗を小さくできる。よって、風量を高めることができる。
なお、この効果は、下面傾斜領域があれば、この下面傾斜領域の包絡面の形状にかかわらず得られる。例えば、下面傾斜領域の包絡面が円錐面であっても湾曲凹面であってもこの効果は得られる。
【００６１】
図３に示すように、第２リブ２６の上縁２６ｂが構成する包絡面２６ｃは、中心軸Ｊ１に対して垂直な平坦面を構成する。
【００６２】
ガード部材は、断面円形の金属製のワイヤーによって構成されることがある。しかし、ガード部材の外面側に例えばフィルタを設けた場合には、フィルタにワイヤーが食い込むとともに、フィルタの一部が吸気口から侵入し、インペラに接近するおそれがある。
ワイヤーの太さまたは間隔を調整すればフィルタの侵入の問題は改善できるが、その場合は、吸気口が小さくなるという問題がある。例えば、太いワイヤーを使えば、ワイヤーの径が大きいため吸気口を大きくしにくい。また、ワイヤーの間隔を小さくすれば吸気口も小さくなる。そのため、風量を大きくするのは難しい。
【００６３】
成型可能な材料、例えば樹脂を用いてガード部材を構成すれば、吸気口の開口が大きく、かつフィルタが吸気口に侵入しにくい形状を選択できる。成型可能な材料を用いたガード部材は、製造コストの点でもワイヤー製のガード部材より優れている。
しかし、成型可能な材料を用いたガード部材は、ワイヤー製のガード部材に比べて剛性が低くなるという問題がある。
剛性を高めるために軸方向寸法を大きくすると、ガード部材とインペラとの距離が小さくなる。そのため、吸気口から導入された空気が、径方向外方へと流れ方向を変換する前にカップ部に当たることにより、風損が生じる。また、ガード部材とインペラとの距離が小さくなると、吸気量を十分に多くすることができない。
【００６４】
図１等に示すファン装置１００は、ガード部材２２が、傾斜した下面傾斜領域２７を有するため、下面傾斜領域２７およびその径方向内側において、ガード部材２２とカップ部１との距離を大きくすることができる。よって、吸気口２４から軸方向に吸引されてインペラ１０により径方向外方に送られる空気の流れ方向の変化を緩やかにできる。そのため、風損を低減できる。また、リブ２３とインペラ１０との間に大きな空間を確保することができるため、インペラ１０による吸気量を多くできる。
【００６５】
ファン装置１００では、径方向内方の第１リブ２５の方が径方向外方の第１リブ２５より小さい。そのため、第１リブ２５の軸方向寸法が大きい径方向外方側においてガード部材２２の剛性を確保できる。また、径方向内方側において第１リブ２５の軸方向寸法が小さいため、ガード部材２２の吸気口２４の流通抵抗を小さくできる。
このように、ファン装置１００によれば、風損を低減するとともに吸気量を多くし、かつガード部材２２の吸気口２４の流通抵抗を小さくできる。よって、吸気口２４から取り込まれて羽根２によって径方向外方に送り出される空気の流れを安定させ、風量を高めることができる。さらに、ガード部材２２の剛性を十分に高めることができる。
ガード部材２２は、成型可能な材料、例えば樹脂で構成すれば、開口面積および剛性を確保しやすく、しかも製造コストの点で有利となる。
【００６６】
また、ガード部材をワイヤーで構成する場合、ワイヤーの断面形状は一様であるため、例えば、ガード部材の形状を上側の面と下側の面とで異ならせることが困難である等、ガード部材の設計の自由度が小さい問題があった。
【００６７】
これに対して、本実施形態によれば、少なくとも下面傾斜領域においてリブ２３の軸方向の寸法が異なる。そのため、リブ２３における上側の面の形状と下側の面の形状とを異ならせることができる。これにより、ガード部材２２の設計の自由度を大きくできる。
【００６８】
次に、ガード部材の他の例について説明する。図７は、ガード部材の第２の例であるガード部材５２を示す断面図である。
ガード部材５２は、第１リブ２５に代えて第１リブ５５を用いる点で、図３等に示すガード部材２２と異なる。本実施形態では、リブ５３は、第１リブ５５と第２リブ５６とからなる。
第１リブ５５の下縁５５ａが構成する下面中間領域は、ガード部材２２の下面中間領域２７と同じである。第１リブ５５の下縁５５ａが構成する下面内側領域は、ガード部材２２の下面内側領域２８と同じである。第１リブ５５の下縁５５ａが構成する下面外側領域は、ガード部材２２の下面外側領域２９と同じである。
このため、ガード部材５２において第１リブ５５の下縁５５ａが構成する下面中間領域、下面内側領域、および下面外側領域については、ガード部材２２の下面中間領域２７、内側フラット領域２８および下面外側領域２９と同じ符号を付してその説明を省略する。
【００６９】
図７に示すように、複数の第１リブ５５の上縁５５ｂは、上面中間領域３１と、上面内側領域３２と、上面外側領域３３と、を構成する。すなわち、上面中間領域３１、上面内側領域３２、および上面外側領域３３は、それぞれ複数の上縁５５ｂによって規定される。上面内側領域３２は、上面中間領域３１より径方向内側に位置する。上面外側領域３３は、上面中間領域３１より径方向外方に位置する。
【００７０】
上面中間領域３１において、径方向に隣り合う２つの第１リブ５５Ａ，５５Ｂは、径方向内方の第１リブ５５Ａの上縁５５Ａｂが、径方向外方の第１リブ５５Ｂの上縁５５Ｂｂよりも上側に位置する。
このため、上縁５５Ａｂ、５５Ｂｂは、中心軸Ｊ１に垂直な面に対して傾斜した包絡面３１ａをなす上面傾斜領域を構成する。中心軸Ｊ１に垂直な面に対する包絡面３１ａの傾斜角度は、例えば０°を越え、９０°未満である。
本実施形態では、上面中間領域３１のすべての第１リブ５５の上縁５５ｂが一定角度で傾斜した包絡面３１ａを構成する。すなわち、上面中間領域３１は上面傾斜領域である。
【００７１】
上面傾斜領域は、次のように説明される。径方向に並んだ複数の第１リブ５５からなる第１リブ群（３）を想定する。第１リブ群（３）を構成する複数の第１リブ５５のうち、隣り合う２つの第１リブ５５を対比したときに、径方向内方の第１リブ５５の上縁５５ｂは、径方向外方の第１リブ５５の上縁５５ｂよりも上側に位置する。この関係は第１リブ群（３）のすべての第１リブ５５について成立する。第１リブ群（３）の第１リブ５５の上縁５５ｂがなす包絡面３１ａは、中心軸Ｊ１に垂直な面に対して傾斜する。このような場合に、第１リブ群（３）の第１リブ５５の上縁５５ｂによって構成される領域を、上面傾斜領域という。
【００７２】
径方向内方の第１リブ５５Ａの軸方向の寸法（長さ）は、径方向外方の第１リブ５５Ｂの軸方向の寸法よりも小さい。径方向外方の第１リブ５５Ｂの軸方向寸法が大きいため、ガード部材２２の剛性を高めることができる。また、径方向内方の第１リブ５５Ａの軸方向寸法が小さいため、流通抵抗を小さくできる。
上面傾斜領域を構成する第１リブ５５の数は少なくとも２であり、３以上の任意の数であってもよい。
【００７３】
本実施形態では、上面中間領域３１のすべての第１リブ５５について、隣り合う２つの第１リブ５５のうち径方向内方の第１リブ５５の軸方向の寸法は、径方向外方の第１リブ５５の軸方向の寸法よりも小さい。このため、第１リブ５５の軸方向の寸法は、径方向内方に行くほど小さくなっている。
【００７４】
上面中間領域３１（上面傾斜領域）は、少なくとも一部が下面中間領域２７（下面傾斜領域）と軸方向に重なることが望ましい。本実施形態では、上面中間領域３１は、全領域が下面中間領域２７と軸方向に重なっている。
【００７５】
上面傾斜領域を設けることによって、径方向内方側の第１リブ５５の軸方向寸法を大きくして剛性を高めることができる。本実施形態では、図３に示すガード部材２２に比べ、径方向内方側の部分における第１リブ５５の軸方向の寸法が大きい。このため、上面中間領域３１におけるリブ５３の剛性を高めることができる。
【００７６】
本実施形態では、包絡面３１ａは径方向の全長にわたって一定角度で傾斜するため、円錐面である。
包絡面３１ａが円錐面であると、第１リブ５５の軸方向寸法を小さくし、吸気口２４の流通抵抗を小さくしやすい。
【００７７】
中心軸に垂直な面に対する上面中間領域３１（上面傾斜領域）の傾斜角βは、下面中間領域２７（下面傾斜領域）の傾斜角αより小さいことが望ましい。
これにより、径方向外方ほど第１リブ５５の軸方向寸法が大きくなるため、径方向内方部分において空気の流通抵抗を小さくして風量向上を図るとともに、径方向外方部分において第１リブ５５の剛性を高めることができる。
【００７８】
上面内側領域３２において、径方向に隣り合う２つの第１リブ５５Ｃ，５５Ｄは、径方向内方の第１リブ５５Ｄの上縁５５Ｄｂと、径方向外方の第１リブ５５Ｄの上縁５５Ｄｂとが、互いに同じ軸方向位置にある。
このため、上縁５５Ｃｂ、５５Ｄｂは、中心軸Ｊ１に垂直な面に沿う平坦な包絡面３２ａをなす上面内側フラット領域を構成する。
本実施形態では、上面内側領域３２のすべての第１リブ５５の上縁５５ｂが中心軸Ｊ１に垂直な面に沿う包絡面３２ａを構成する。すなわち、上面内側領域３２は上面内側フラット領域である。
【００７９】
フラット領域は、次のように説明される。径方向に並んだ複数の第１リブ５５からなる第１リブ群（４）を想定する。第１リブ群（４）を構成する複数の第１リブ５５のうち、隣り合う２つの第１リブ５５を対比したときに、上縁５５ｂの軸方向位置は互いに同じである。この関係は第１リブ群（４）のすべての第１リブ５５について成立する。第１リブ群（４）の第１リブ５５の上縁５５ｂがなす包絡面は、中心軸Ｊ１に垂直な面に沿う平坦面となる。このような場合に、第１リブ群（４）の上縁５５ｂによって構成される領域を、フラット領域という。
上面内側フラット領域を構成する第１リブ５５の数は少なくとも２であり、３以上の任意の数であってもよい。
【００８０】
上面内側領域３２（上面内側フラット領域）を構成する上縁５５ｂの包絡面３２ａの軸方向位置は、上面中間領域３１（上面傾斜領域）の包絡面３１ａの最も径方向内方の周縁における軸方向位置と同じである。なお、包絡面３２ａは、上面中間領域３１（上面傾斜領域）の包絡面３１ａの最も径方向内方の周縁より上側にあってもよい。
よって、上面内側領域３２の包絡面３２ａの軸方向位置は、上面中間領域３１（上面傾斜領域）の包絡面３１ａの軸方向位置と同じ、または包絡面３１ａより上側にある。
【００８１】
上面中間領域３１（上面傾斜領域）の径方向内側に、上面内側領域３２（上面内側フラット領域）を設けることによって、この領域において、第１リブ５５の軸方向寸法を小さくしやすい。そのため、ガード部材２２の中央部における空気の流通抵抗を小さくすることができる。また、ファン装置１００の軸方向寸法を小さくすることができる。
【００８２】
第１リブ５５のうち、上面外側領域３３において径方向に隣り合う２つの第１リブ５５Ｅ，５５Ｆを対比する。２つの第１リブ５５Ｅ，５５Ｆのうち、径方向内方の第１リブ５５Ｅの上縁５５Ｅｂと、径方向外方の第１リブ５５Ｆの上縁５５Ｆｂとは、互いに同じ軸方向位置にある。
このため、上縁５５Ｅｂ、５５Ｆｂは、中心軸Ｊ１に垂直な面に沿う包絡面３３ａをなす上面外側フラット領域を構成する。
本実施形態では、上面外側領域３３のすべての第１リブ５５の上縁５５ｂが中心軸Ｊ１に垂直な面に沿う包絡面３３ａを構成する。すなわち、上面外側領域３３は上面外側フラット領域である。
上面外側フラット領域を構成する第１リブ５５の数は少なくとも２であり、３以上の任意の数であってもよい。
【００８３】
上面外側領域３３（上面外側フラット領域）を構成する上縁５５ｂの包絡面３３ａの軸方向位置は、上面中間領域３１の包絡面３１ａの最も径方向外方の周縁における軸方向位置と同じである。なお、包絡面３３ａは、上面中間領域３１（上面傾斜領域）の包絡面３１ａの最も径方向外方の周縁より下側にあってもよい。
よって、上面外側領域３３の包絡面３３ａの軸方向位置は、上面中間領域３１（上面傾斜領域）の包絡面３１ａの軸方向位置と同じ、または包絡面３１ａより下側にある。
【００８４】
上面中間領域３１（上面傾斜領域）の径方向外方に、上面外側領域３３（上面外側フラット領域）を設けることによって、径方向外方の領域における第１リブ５５の軸方向寸法を小さくできる。よって、当該領域の空気の流通抵抗を小さくし、風損を低減できる。
なお、包絡面３１ａ〜３３ａとは、それぞれ上面中間領域３１、上面内側領域３２、上面外側領域３３において、複数の第１リブ５５の上縁５５ｂの径方向中央の線を結んで得られる面である。
【００８５】
上面中間領域３１（上面傾斜領域）において、径方向に隣り合う少なくとも２つの第１リブ５５Ａ，５５Ｂのうち径方向内方の第１リブ５５Ａの下縁５５Ａａの軸方向位置は、径方向外方の第１リブ５５Ｂの上縁５５Ｂｂの軸方向位置と同じ、またはこれより下側に位置する。本実施形態では、下縁５５Ａａの軸方向位置は、上縁５５Ｂｂの軸方向位置より下側に位置する。
このため、径方向外方から内方に向かって流れる空気の一部は、第１リブ５５（第１リブ５５Ａ）の外周面に当たって下方に向けられる。そのため、吸気口２４から取り込まれてインペラ１０に向かう空気の流れを整えることができる。よって、通気効率を高め、風量向上を図ることができる。
【００８６】
図８は、下面傾斜領域の包絡面が円錐面となるガード部材の他の例であるガード部材６２を示す。
ガード部材６２では、下面中間領域６７の複数の第１リブ６５は、径方向内方の第１リブ６５の下縁６５ａが、径方向外方に隣り合う第１リブ６５の下縁６５ａよりも上側に位置する。そのため、下面中間領域６７の第１リブ６５の下縁６５ａは、中心軸Ｊ１に垂直な面に対して傾斜した包絡面６７ａをなす下面傾斜領域を構成する。包絡面６７ａは径方向の全長にわたって一定角度で傾斜するため、円錐面である。
【００８７】
上面中間領域７１の複数の第１リブ６５の上縁６５ｂは、断面円弧形の湾曲凸面となる包絡面７１ａを規定する。
上面中間領域７１を構成する複数の第１リブ６５は、径方向内方の第１リブ６５の上縁６５ｂが、径方向外方に隣り合う第１リブ６５の上縁６５ｂよりも上側に位置する。そのため、上面中間領域７１を構成する複数の第１リブ６５の上縁６５ｂは、中心軸Ｊ１に垂直な面に対して傾斜する包絡面７１ａをなす上面傾斜領域を構成する。
【００８８】
下面中間領域６７および上面中間領域７１を構成する複数の第１リブ６５のうち第１リブ６５Ａ，６５Ｂ，６５Ｃは、径方向内方の第１リブ６５が、径方向外方に隣り合う第１リブ６５よりも軸方向寸法が小さいという関係がある。そのため、径方向外方側においてガード部材６２の剛性を確保し、かつ径方向内方側において流通抵抗を小さくできるという効果が得られる。
【００８９】
図９は、下面傾斜領域の包絡面が湾曲凹面となるガード部材の例であるガード部材７２を示す。
ガード部材７２では、下面中間領域７７の複数の第１リブ７５の下縁７５ａは、中心軸Ｊ１に垂直な面に対して傾斜した包絡面７７ａをなす下面傾斜領域を構成する。包絡面７７ａは断面円弧形の湾曲凹面となる。
第１リブ７５の上縁７５ｂは、中心軸Ｊ１に垂直な面に沿う平坦な包絡面７５ｃを構成する。
下面中間領域７７の第１リブ７５は、径方向内方の第１リブ７５が、径方向外方に隣り合う第１リブ７５よりも軸方向寸法が小さいという関係がある。
【００９０】
ガード部材７２は、包絡面７７ａが湾曲凹面となるため、ガード部材７２とインペラ１０との軸方向距離が大きくなる。そのため、ガード部材７２とインペラ１０との間により大きな空間を確保できる。よって、風量を確保する点で有利となる。
また、ガード部材７２では、第１リブ７５の上縁７５ｂが、中心軸Ｊ１に垂直な面に沿う平坦な包絡面７５ｃを規定する。そのため、径方向外方側においてガード部材７２の剛性を確保し、かつ、径方向内方側において流通抵抗を小さくできる。
【００９１】
図１０は、下面傾斜領域の包絡面が湾曲凹面となるガード部材の他の例であるガード部材８２を示す。
ガード部材８２では、下面中間領域８７の複数の第１リブ８５の下縁８５ａは、中心軸Ｊ１に垂直な面に対して傾斜した包絡面８７ａをなす下面傾斜領域を構成する。包絡面８７ａは断面円弧形の湾曲凹面となる。
上面中間領域９１の複数の第１リブ８５の上縁８５ｂは、中心軸Ｊ１に垂直な面に対して傾斜した包絡面９１ａをなす上面傾斜領域を構成する。包絡面９１ａは断面円弧形の湾曲凸面となる。
下面中間領域８７および上面中間領域９１の第１リブ７５は、径方向内方の第１リブ７５が、径方向外方に隣り合う第１リブ６５よりも軸方向寸法が小さいという関係がある。
ガード部材８２は、包絡面８７ａが湾曲凹面となるため、ガード部材８２とインペラ１０との軸方向距離が大きくなる。そのため、風量を確保する点で有利となる。
また、ガード部材８２では、上面中間領域９１の上縁８５ｂが規定する包絡面９１ａは湾曲凸面となる。そのため、径方向外方側において第１リブ８５を長くしてガード部材７２の剛性を確保し、かつ、径方向内方側において第１リブ８５を短くして流通抵抗を小さくできる。
【００９２】
図１１は、下面傾斜領域の包絡面が湾曲凹面となるガード部材の他の例であるガード部材９２を示す。
ガード部材９２では、下面中間領域９７の複数の第１リブ９５の下縁９５ａは、中心軸Ｊ１に垂直な面に対して傾斜した包絡面９７ａをなす下面傾斜領域を構成する。包絡面９７ａは断面円弧形の湾曲凹面となる。
上面中間領域１０１の複数の第１リブ９５の上縁９５ｂは、中心軸Ｊ１に垂直な面に対して傾斜した包絡面１０１ａをなす上面傾斜領域を構成する。包絡面１０１ａは径方向の全長にわたって一定角度で傾斜するため、円錐面である。
【００９３】
下面中間領域９７および上面中間領域１０１を構成する複数の第１リブ９５のうち第１リブ９５Ａ，９５Ｂは、径方向内方の第１リブ９５Ａが、径方向外方に隣り合う第１リブ９５Ｂよりも軸方向寸法が小さいという関係がある。そのため、径方向外方側においてガード部材９２の剛性を確保し、かつ径方向内方側において流通抵抗を小さくできるという効果が得られる。
【００９４】
図１２は、リブの他の例であるリブ１０３を示す。
リブ１０３は、第２リブ１０６の上縁１０６ｂが第１リブ２５の上縁２５ｂより上側に位置する。それ以外の構成は図３等に示すリブ２３と同じである。
この構造のリブ１０３では、第１リブ２５から上方に間隔をおいてフィルタ４７を支持できるため、空気の流通抵抗を低減できる。
【００９５】
なお、本実施形態においては、以下の構成を採用することもできる。
図１等に示すファン装置１００は、ハウジング３０の上壁部１５にある開口１８を通して空気を取り入れる構造、すなわち、軸方向の一方側からのみ吸気する構造を有する。本発明では、ファン装置は、軸方向の両方から吸気する構造であってもよい。例えば、ハウジングの底壁部および上壁部の両方に、空気を取り入れる開口を有する構造を採用してもよいし、ハウジングの底壁部および上壁部の両方に、空気を取り入れる開口と、ガード部材とを有する構造を採用してもよい。
【００９６】
なお、上記説明した各構成は、相互に矛盾しない範囲内において、適宜組み合わせることができる。例えば、本実施形態では、モータ部２０の回転軸１１にインペラ１０が結合されているが、モータハウジング１２にインペラ１０の筒部６が結合され、モータハウジング１２が回転することによりインペラ１０が回転する構成としてもよい。
【符号の説明】
【００９７】
２…羽根、４…環状連結体、５…天板部、５ａ…周縁、６…筒部、１０…インペラ、１６…排気口、１７…外部空間、２０…モータ部、２１…本体部、２２，５２…ガード部材、２３，１０３…リブ、２４…吸気口、２５，２５Ａ，２５Ｂ，２５Ｃ，２５Ｄ，２５Ｅ，２５Ｆ，５５，５５Ａ，５５Ｂ，５５Ｃ，５５Ｄ，５５Ｅ，５５Ｆ，６５，７５，８５，９５…第１リブ、２５ａ、２５Ａａ，２５Ｂａ，２５Ｃａ，２５Ｄａ，２５Ｅａ，２５Ｆａ，５５ａ，６５ａ，７５ａ，８５ａ，９５ａ…下縁（下側の縁）、２５ｂ、５５ｂ，５５Ａｂ，５５Ｂｂ，５５Ｃｂ，５５Ｄｂ，５５Ｅｂ，５５Ｆｂ，６５ｂ，７５ｂ，８５ｂ，９５ｂ，１０６ｂ…上縁（上側の縁）、２６，１０６…第２リブ、２７，５７，６７，７７，８７，９７…下面中間領域（下面傾斜領域）、２７ａ，５７ａ，６７ａ，７７ａ，８７ａ，９７ａ…下面中間領域（下面傾斜領域）の包絡面、２８…下面内側領域（下面内側フラット領域）、２８ａ…下面内側領域（下面内側フラット領域）の包絡面、２９…下面外側領域（下面外側フラット領域）、２９ａ…下面外側領域（下面外側フラット領域）の包絡面、３０…ハウジング、３１，７１，９１，１０１…上面中間領域（上面傾斜領域）、３１ａ，７１ａ，９１ａ，１０１ａ…上面中間領域（上面傾斜領域）の包絡面、３２…上面内側領域（上面内側フラット領域）、３２ａ…上面内側領域（上面内側フラット領域）の包絡面、３３…上面外側領域（上面外側フラット領域）、３３ａ…上面外側領域（上面外側フラット領域）の包絡面、４６，４８…フィルタ支持部、４７…フィルタ、４９…中央フィルタ支持部。
【図１】
0006476819.tif 000002
【図２】
0006476819.tif 000003
【図３】
0006476819.tif 000004
【図４】
0006476819.tif 000005
【図５】
0006476819.tif 000006
【図６】
0006476819.tif 000007
【図７】
0006476819.tif 000008
【図８】
0006476819.tif 000009
【図９】
0006476819.tif 000010
【図１０】
0006476819.tif 000011
【図１１】
0006476819.tif 000012
【図１２】
0006476819.tif 000013